(57)【要約】【課題】ゴルフのスイングフォームなどのアングルやズーム倍率などを容易に調整でき、カメラやモニタなどの装置の位置関係を自由かつ容易に設定でき、撮影から繰り返し再生までを容易な操作で実現する。【解決手段】複数の操作キーと、映像を記録再生するビデオカメラと、該ビデオカメラのアングルを調整するための電動雲台と、該ビデオカメラで撮影した映像を映し出すモニタを持ち、該ビデオカメラ、該電動雲台など複数の装置の操作キーを持つコントローラ部と、該ビデオカメラと該電動雲台をあわせ持つ制御ユニット部と、撮影した映像を映し出す表示部の３つのブロックに分割する。【選択図】図１
2005167763.tif 000002
【特許請求の範囲】
【請求項１】
複数の操作キーと、映像を記録再生するビデオカメラと、該ビデオカメラのアングルを調整するための電動雲台と、該ビデオカメラで撮影した映像を映し出すモニタを持つ映像撮影装置において、該ビデオカメラ、該電動雲台など複数の装置の操作キーを持つコントローラ部と、該ビデオカメラと該電動雲台をあわせ持つ制御ユニット部と、撮影した映像を映し出す表示部の３つのブロックに分割する手段を設けたことを特徴とする映像撮影装置。
【請求項２】
複数の操作キーと、映像を記録再生するビデオカメラと、該ビデオカメラのアングルを調整するための電動雲台と、該ビデオカメラで撮影した映像を映し出すモニタを持つ映像撮影装置において、該ビデオカメラ、該電動雲台など複数の装置の操作キーを持ち、撮影した映像を映し出す表示部と、該ビデオカメラと該電動雲台をあわせ持つ制御ユニット部の２つのブロックに分割する手段を設けたことを特徴とする映像撮影装置。
【請求項３】
２つないし３つに分割したブロックに相互をケーブルで接続する手段を備えたことを特徴とする請求項１および２記載の映像撮影装置。
【請求項４】
２つないし３つに分割したブロックに相互を電波信号で接続する手段を備えたことを特徴とする請求項１および２記載の映像撮影装置。
【請求項５】
２つないし３つに分割した各ブロックにバッテリを搭載し、該各ブロックを個々に駆動する手段を備えたことを特徴とする請求項１および２記載の映像撮影装置。
【請求項６】
２つないし３つに分割した各ブロックのバッテリ残量を検出する手段と、コントローラ部もしくは表示部に該各ブロックのバッテリ残量を表示する手段とを備えたことを特徴とする請求項５記載の映像撮影装置。
【請求項７】
コントローラ部に配した開始キーを操作することで、ビデオカメラの撮影を開始し、一定時間撮影を行なった後に終了し、前記撮影開始点まで戻り、前記撮影終了点まで再生し、再び前記撮影開始点まで戻り、前記撮影終了点まで再生するという一連動作を、停止キーが操作されるまで繰り返し動作させる手段を備えたことを特徴とする請求項１および２記載の映像撮影装置。
【請求項８】
コントローラ部に配した開始キーを操作することで、ビデオカメラの撮影を開始し、一定時間撮影を行なった後に終了し、前記撮影開始点まで戻り、前記撮影終了点まで再生し、再び前記撮影開始点まで戻り、前記撮影終了点まで再生するという一連動作を一定回数実行するまで、もしくは一定時間経過するまで動作させる手段を備えたことを特徴とする請求項１および２記載の映像撮影装置。
【請求項９】
コントローラ部に配した開始キーを操作した後、一定時間経過後にビデオカメラの撮影が開始するように制御する手段を備えたことを特徴とする請求項７および８記載の映像撮影装置。
【請求項１０】
コントローラ部に操作キーもしくはボリューム等の撮影時間を設定するための手段を備えたことを特徴とする請求項７および８記載の映像撮影装置。
【請求項１１】
コントローラ部に配した設定キーを操作した後、録画キーを操作して撮影を開始し、任意の時間経過後に再び該録画キーを操作して撮影を終了させることで、開始キー操作による撮影時間を設定するための手段を備えたことを特徴とする請求項７および８記載の映像撮影装置。
【請求項１２】
コントローラ部に操作キーもしくはボリューム等の電動雲台の駆動速度を調整するための手段を備えたことを特徴とする請求項１および２記載の映像撮影装置。
【請求項１３】
映像を記録するビデオカメラと、該ビデオカメラのアングルを調整するための電動雲台と、コントローラ部からの情報で該ビデオカメラと該電動雲台を制御する制御手段より構成され、該ビデオカメラと該制御手段が水平軸方向に該電動雲台を挟んで配置される制御ユニット部を備えたことを特徴とする請求項１および２記載の映像撮影装置。
【請求項１４】
映像を記録するビデオカメラと、該ビデオカメラのアングルを調整するための電動雲台と、コントローラ部からの情報で該ビデオカメラと該電動雲台を制御する制御手段より構成され、該電動雲台と該制御手段を同一構造体に納め、該電動雲台を制御するケーブルを該構造体の内部で接続する構成の制御ユニット部を備えたことを特徴とする請求項１および２記載の映像撮影装置。
【発明の詳細な説明】
【技術分野】
【０００１】
本発明はゴルフや野球、卓球などのフォームをビデオカメラで撮影してチェックするための映像撮影装置に関する。
【背景技術】
【０００２】
従来、ゴルフのスイングフォームなどを撮影してチェックする装置として、ビデオカメラとモニタ、撮影タイミング合わせのためのスイッチやセンサなどを組み合わせたものがある。モニタに映し出されたビデオカメラの映像を見ながらフォームを撮影する位置を決めるとともに、ゴルフクラブに取り付けたスイッチにより撮影タイミングをつかむもので、例えば特開平１１−２８８０２６号公報の「ゴルフスイングフォームの撮影システム」に記載されている。
【特許文献１】特開平１１−２８８０２６号公報
【発明の開示】
【発明が解決しようとする課題】
【０００３】
ゴルフのスイングフォームなどを一人で撮影する場合、被写体がビデオカメラの画面に納まっているかどうかはモニタ画面で容易に確認できるが、画面に納まっていない場合にカメラのアングルやズーム倍率を調整してあわせこむことは非常に困難であった。また、スイングフォームは特定の方向からだけではなく、目的に応じて任意の方向から撮影する必要があるが、カメラやモニタなどの位置関係は、接続ケーブルや電源ケーブルの制約があり、自由に決めることは困難であった。更には、撮影したスイングフォームを直ぐに繰り返し再生してチェックすることでフォームの修正を行なうのがレッスンの基本であるが、このような操作は複数のキーを繰り返し押さねばならず面倒であった。
【０００４】
本発明の第一の目的は、モニタを見ながらカメラのアングルやズーム倍率などを容易に調整できるようにすることにある。また、本発明の第二の目的は、カメラやモニタなどの装置の位置関係を自由かつ容易に設定できるようにすることにある。更に本発明の第三の目的は、撮影から繰り返し再生までを容易な操作で実現することにある。
【課題を解決するための手段】
【０００５】
上記目的を達成するために本発明は、以下の構成を有するものである。
第１の発明では、映像撮影装置は、複数の操作キーと、映像を記録再生するビデオカメラと、該ビデオカメラのアングルを調整するための電動雲台と、該ビデオカメラで撮影した映像を映し出すモニタを持ち、該ビデオカメラ、該電動雲台など複数の装置の操作キーを持つコントローラ部と、該ビデオカメラと該電動雲台をあわせ持つ制御ユニット部と、撮影した映像を映し出す表示部の３つのブロックに分割する手段を備える。
【０００６】
第２の発明では、映像撮影装置は、複数の操作キーと、映像を記録再生するビデオカメラと、該ビデオカメラのアングルを調整するための電動雲台と、該ビデオカメラで撮影した映像を映し出すモニタを持ち、該ビデオカメラ、該電動雲台など複数の装置の操作キーを持ち、撮影した映像を映し出す表示部と、該ビデオカメラと該電動雲台をあわせ持つ制御ユニット部の２つのブロックに分割する手段を備える。
【０００７】
第３の発明では、第１および第２の発明において、２つないし３つに分割されたブロックは相互をケーブルで接続する手段を備える。
第４の発明では、第１および第２の発明において、２つないし３つに分割されたブロックは相互を電波信号で接続する手段を備える。
【０００８】
第５の発明では、第１および第２の発明において、２つないし３つに分割されたブロックは各々バッテリを搭載し、個々に駆動する手段を備える。
第６の発明では、第５の発明において、２つないし３つに分割されたブロックは各々のバッテリ残量を検出する手段を備え、コントローラ部もしくは表示部は該各ブロックのバッテリ残量を表示する手段を備える。
【０００９】
第７の発明では、第１および第２の発明において、コントローラ部は開始キーを操作することで、ビデオカメラの撮影を開始し、一定時間撮影を行なった後に終了し、前記撮影開始点まで戻り、前記撮影終了点まで再生し、再び前記撮影開始点まで戻り、前記撮影終了点まで再生するという一連動作を、停止キーが操作されるまで繰り返し動作させる手段を備える。
【００１０】
第８の発明では、第１および第２の発明において、コントローラ部は開始キーを操作することで、ビデオカメラの撮影を開始し、一定時間撮影を行なった後に終了し、前記撮影開始点まで戻り、前記撮影終了点まで再生し、再び前記撮影開始点まで戻り、前記撮影終了点まで再生するという一連動作を一定回数実行するまで、もしくは一定時間経過するまで動作させる手段を備える。
【００１１】
第９の発明では、第７および第８の発明において、コントローラ部は開始キーを操作した後、一定時間経過後にビデオカメラの撮影が開始するように制御する手段を備える。
第１０の発明では、第７および第８の発明において、コントローラ部は操作キーもしくはボリューム等の撮影時間を設定するための手段を備える。
【００１２】
第１１の発明では、第７および第８の発明において、コントローラ部は設定キーを操作した後、録画キーを操作して撮影を開始し、任意の時間経過後に再び該録画キーを操作して撮影を終了させることで、開始キー操作による撮影時間を設定するための手段を備える。
第１２の発明では、第１および第２の発明において、コントローラ部は操作キーもしくはボリューム等の電動雲台の駆動速度を調整するための手段を備える。
【００１３】
第１３の発明では、第１および第２の発明において、制御ユニット部は映像を記録するビデオカメラと、該ビデオカメラのアングルを調整するための電動雲台と、コントローラ部からの情報で該ビデオカメラと該電動雲台を制御する制御手段より構成され、該ビデオカメラと該制御手段が水平軸方向に該電動雲台を挟んで配置される。
【００１４】
第１４の発明では、第１および第２の発明において、制御ユニット部は映像を記録するビデオカメラと、該ビデオカメラのアングルを調整するための電動雲台と、コントローラ部からの情報で該ビデオカメラと該電動雲台を制御する制御手段より構成され、該電動雲台と該制御手段を同一構造体に納め、該電動雲台を制御するケーブルを該構造体の内部で接続する。
【発明の効果】
【００１５】
本発明によれば、第一にモニタを見ながらビデオカメラのズーム倍率やアングルなどを容易に調整できるという有効な効果が得られる。また、第二にはカメラやモニタなどの装置の位置関係を自由かつ容易に設定できるという有効な効果が得られる。更に第三には撮影から繰り返し再生までを容易な操作で実現できるという有効な効果が得られる。
【実施例１】
【００１６】
本発明の実施の形態を、実施例を用い、図を参照して説明する。以下、図１から図４を用いて第１の実施例について説明する。
図１は本発明による映像撮影装置のブロック図であり、同図において１はコントローラ部、７は制御ユニット部、１６は表示部である。
【００１７】
コントローラ部１の操作部２には、ビデオカメラ１４および電動雲台１５を操作するための図２に示す複数の操作キー（録画、停止、ズーム、雲台上下／左右等）が設けられ、操作キーの操作は制御部３で検出される。制御部３は検出した操作に対応した制御情報を生成し、制御送信部４へ送る。アンテナ等からなる制御送信部４は、制御情報を制御用電波信号として制御ユニット部７へ送信する。尚、コントローラ部１にはバッテリ５が搭載され、電源部６によって規定の電圧値に変換され、操作部２、制御部３、制御送信部４へ供給される。
【００１８】
制御用電波信号は、制御ユニット部７の送受信ユニット８のアンテナなどからなる制御受信部９で受信され、制御情報は制御部１０へ送られる。制御部１０は制御情報に基づきビデオカメラ１４および電動雲台１５を制御する。制御部１０は、ビデオカメラ１４に制御用端子が設けられていれば、制御コマンドを生成する回路で構成され、制御用端子が設けられていなければ、赤外線発光回路を用いてリモコンコードを送信することでビデオカメラ１４の制御をおこなう。また、電動雲台１５は、例えば制御部１０にモータドライバ回路を設けることで制御する。
【００１９】
ビデオカメラ１４の具体的な制御内容は、ズーム倍率の調整や録画、停止、再生などであり、電動雲台の制御内容は上下方向の駆動や左右方向の駆動である。ビデオカメラ１４からの映像信号は送受信ユニット８のアンテナなどからなる映像送信部１１へ入力され、映像用電波信号として送信される。尚、送受信ユニット８にはバッテリ１２が搭載され、電源部１３によって規定の電圧値に変換され、制御受信部９、制御部１０、映像送信部１１へ供給される。この際、ビデオカメラ１４へも電源を供給する回路構成にすれば、送受信ユニット８によってビデオカメラ１４の電源入切やバッテリ残量の管理も行なうことができる。
【００２０】
映像用電波信号は、表示部１６のアンテナなどからなる映像受信部１７で受信され、映像信号に変換されてモニタ１８に入力される。モニタ１８は入力された映像信号を使って画面にビデオカメラ１４の映像を映し出す。尚、表示部１６にはバッテリ１９が搭載され、電源部２０によって規定の電圧値に変換され、映像受信部１７およびモニタ１８へ供給される。
【００２１】
このように本実施の形態によれば、図１に示すようにコントローラ部１、制御ユニット部７（制御ユニット８、ビデオカメラ１４、電動雲台１５で構成）、表示部１６は夫々電波信号によって結ばれ、かつ各々が独立したバッテリ５，１２，１９を搭載しているため、各々の装置の位置関係を自由かつ容易に設定することができる。また、コントローラ部１にはビデオカメラ１４と電動雲台１５を操作するための図２に示す操作キーが操作部２に設けられているため、表示部１６のモニタ１８を見ながらビデオカメラ１４のズーム倍率やアングルを容易に調整することができる。尚、映像信号はビデオカメラ１４によって磁気テープや光ディスクなどの媒体に記録されるため、電波障害などによる映像用電波信号の乱れは記録される映像信号の画質には影響しないというメリットもある。
【００２２】
次に本発明による映像撮影装置の操作について説明する。図２は図１におけるコントローラ部１の操作部２の操作キー配置例である。
まず、コントローラ部１、送受信ユニット８、ビデオカメラ１４、表示部１６に電源を投入し、ビデオカメラ１４の映像をモニタ１８に映し出す。モニタ１８の画面を見ながらコントローラ部１の雲台操作キー２Ｅを操作して、電動雲台１５を上下左右に駆動することでカメラアングルを調整する。また、必要に応じてズームキー２Ｆを操作してビデオカメラ１４のズーム倍率を調整する。通常は録画キー２Ｂを使って撮影し、再生キー２Ｃを使って再生する。これに対して容易に撮影と再生をおこなう方法（以下、簡易録再という）として開始キー２Ａを設けている。
【００２３】
開始キー２Ａを使っておこなう簡易録再の操作について以下説明する。図３は簡易録再のフローチャートである。まず開始キー２Ａを押すと、制御部３が検知し、簡易録再動作を開始する（ステップ３Ａ）。ステップ３Ｂでスイングフォームを整えるために一定時間待機し、次のステップ３Ｃで制御部３は送受信ユニット８を介してビデオカメラ１４を録画状態にする。予め設定された撮影時間が経過すると（ステップ３Ｄ）、再び送受信ユニット８を介してビデオカメラ１４の録画を停止させ（ステップ３Ｅ）、録画したシーンの頭出しをおこない(ステップ３Ｆ)、映像を再生する(ステップ３Ｇ)。設定された撮影時間が経過したところで（ステップ３Ｈ）、再生を停止させ（ステップ３Ｊ）、停止キー２Ｄが押されていなければ（ステップ３Ｋ）、再びシーンの頭出しをおこない（ステップ３Ｆ）、繰り返し再生をおこなう（ステップ３Ｇ）。図３のフローチャートでは繰り返し再生を停止キー２Ｄが押されるまでおこなうことにしているが、予め定めた一定回数の再生を条件にしたり、予め定められた一定時間の経過を条件にすることもできる。
【００２４】
また上記の条件を組み合わせることもできるし、停止キー２Ｄの検出を割り込み処理でおこなえば、どのステップでも動作を解除することができる。更に、停止キー２Ｄではなく、図示していない一時停止キーなどを用いて静止画状態にすることで動作を解除する方法もある。また、上記説明においては、コントローラ部１の制御部３で撮影時間等を管理することにし、その都度送受信ユニット８を介してビデオカメラ１４を制御することにしているが、最初に開始キー２Ａが押されたという情報を送受信ユニット８に送ることで、撮影時間等の管理を送受信ユニット８の制御部１０でおこなうことができる。この場合は、何度も制御用電波信号を送る必要がなくなり、電波障害などによって制御情報が欠落し、正常にビデオカメラ１４を制御できなくなるというリスクを低減することができる。
【００２５】
尚、シーンの頭出し（ステップ３Ｆ）は、磁気テープの場合はインデックスを利用することで容易におこなえるし、光ディスクを用いた場合は更に容易に実現することができる。次に撮影時間の設定方法について説明する。簡易な方法としては、撮影時間を設定するための増加・減少キー２Ｋをコントローラ部１に設けることによってなされる。増加キーを押すと制御部３が検知し、図示していないメモリに記憶している撮影時間の設定値を増加させ、同様に減少キーが押されると設定値を減少させることによってなされる。また、増加・減少キー２Ｋの代わりにコントローラ部１に可変抵抗器を設け、可変抵抗器により設定される電圧値をアナログデジタル変換器で読み取ることによって撮影時間の設定値を決める方法もある。
【００２６】
更に、より実態に即した撮影時間の設定方法として、コントローラ部１に設定キー２Ｊを設ける方法がある。設定キー２Ｊが押されると制御部３が検知し、設定モードに入る。操作者は設定モードに入った後、録画キー２Ｂを押して撮影を開始し、ゴルフの場合であれば実際にスイングを行い、再び録画キー２Ｂを押して撮影を終了させる。制御部３は録画キー２Ｂが２回押される間隔を計測し、その値を撮影時間の設定値として図示していないメモリに記憶させる。尚、録画キー２Ｂを押してからスイングに入るまでのロス時間とスイング後に録画キー２Ｂを押すまでのロス時間を考慮して、上記撮影時間の設定値から相当時間を減ずれば、より実態に即した撮影時間の設定が可能となる。上記説明に用いた図２は操作部２の操作キーの配置例を示したものであり、配置やキーの種類を限定するものではない。
【００２７】
次に、制御ユニット部７の具体的な構成について図４を用いて説明する。図４は制御ユニット部７を構成する送受信ユニット８、バッテリ１２、ビデオカメラ１４、電動雲台１５の構成を示すものであり、送受信ユニット８は制御情報を受信しビデオカメラ１４と電動雲台１５を制御するとともにビデオカメラ１４の映像を表示部１６へ送信するものである。電動雲台１５の下部には三脚等に固定するための手段が設けられている。図４に示すように、送受信ユニット８とビデオカメラ１４は水平軸方向に電動雲台１５を挟み込むように配置される。このように配置することにより、水平軸方向のバランスが取り易くなる。また、電動雲台１５と送受信ユニット８を同一構造体として構成することにより、電動雲台１５を制御するためのケーブルを前記構造体内に配置することができる。
以上説明した第１の実施例によれば、コントローラ部１と制御ユニット部７と表示部１６の位置関係を自由に設定することができる。
【実施例２】
【００２８】
次に図５を用いて第２の実施例について説明する。図５は本発明による映像撮影装置のブロック図であり、図１と同一構成の部分には同一符号を付して、詳細な説明を簡略化する。図５における表示部５０は、図１におけるコントローラ部１と表示部１６を１つのブロックにあわせたものであり、制御ユニット部７との２ブロック構成としている。基本的な動作は第１の実施例と同じであるが、表示部１６とコントローラ部１をあわせたことにより、それぞれのバッテリ５と１９をバッテリ５１に、電源部６と２０を電源部５２にしている。以上説明した第２の実施例によれば、特にモニタ１８を見ながら操作する場合に有効であり、システムをよりコンパクトにすることが可能である。
【００２９】
上述した本発明の第１の実施例および第２の実施例において、各ブロック間の情報（制御、映像）のやりとりは無線電波を用いるとしているが、制御に関しては一般的なＲＳ−２３２Ｃ等を用いたケーブルによる接続方式も可能であり、映像に関しても直接ビデオカメラ１４の出力をモニタ１８に接続することが可能である。
【実施例３】
【００３０】
次に図６を用いて第３の実施例について説明する。図６は本発明による映像撮影装置のブロック図であり、図１と同一構成の部分には同一符号を付して、詳細な説明を簡略化する。図６と図１の違いは、各ブロックに制御情報の送受信をおこなうための制御送受信部６１、６２、６５を設けたという点である。基本的な操作方法は第１の実施例と同様であるが、制御ユニット部７の送受信ユニット８の制御部６３はバッテリ１２の電圧値を監視し、その情報を制御送受信６２を介してコントロール部１の制御部６０へ伝える。同様に表示部１６の制御部６４はバッテリ１９の電圧値を監視し、その情報を制御送受信部６５を介してコントロール部１の制御部６０へ伝える。コントロール部１の制御部は制御ユニット部７と表示部１６のバッテリ情報を図示していない表示手段を用いて表示する。バッテリ電圧値の監視方法としては、アナログデジタル変換器を用いてデジタル的な値として監視する方法や比較器を用いて基準電圧と比較して監視する方法などがある。
【００３１】
また、具体的な表示方法としては、バッテリの減り具合をＬＥＤの点滅や点灯により表す方法や３色発光のＬＥＤを用いて色で表す方法、ＬＣＤを用いて図形で表す方法などがある。尚、上記第３の実施例はコントロール部１の制御部６０に情報を集約する場合の説明であるが、同様にして表示部１６の制御部６４に情報を集約して表示部１６にバッテリ残量を表示する方法もある。また、上記第３の実施例はブロックを３つに分割した場合の説明であるが、ブロックを２つに分割した場合にも同様に適用することができる。以上説明した第３の実施例によれば、各ブロックのバッテリの状態を一元的に管理することができるため、バッテリ切れを予測して早めにバッテリ交換をおこなうなどの対処をすることができる。
【図面の簡単な説明】
【００３２】
【図１】本発明の第１の一実施形態による映像撮影装置のブロック図。
【図２】本発明の第１の一実施形態による映像撮影装置の操作キー配置図。
【図３】本発明の第１の一実施形態による映像撮影装置における簡易録再のフローチャート。
【図４】本発明の第１の一実施形態による映像撮影装置の制御ユニット部の構成図。
【図５】本発明の第２の一実施形態による映像撮影装置のブロック図。
【図６】本発明の第３の一実施形態による映像撮影装置のブロック図。
【符号の説明】
【００３３】
１…コントローラ部
２…操作部
３，１０，６０，６３，６４…制御部
４…制御送信部
５，１２，１９，５１…バッテリ
６，１３，２０，５２…電源部
７…制御ユニット部
８…送受信ユニット
９…制御受信部
１１…映像送信部
１４…ビデオカメラ
１５…電動雲台
１６，５０…表示部
１７…映像受信部
１８…モニタ
６１，６２，６５…制御送受信部
２Ａ…開始キー
２Ｂ…録画キー
２Ｃ…再生キー
２Ｄ…停止キー
２Ｅ…雲台操作キー
２Ｆ…ズームキー
２Ｇ…逆方向サーチキー
２Ｈ…正方向サーチキー
２Ｊ…設定キー
２Ｋ…増加・減少キー
【図１】
2005167763.tif 000003
【図２】
2005167763.tif 000004
【図３】
2005167763.tif 000005
【図４】
2005167763.tif 000006
【図５】
2005167763.tif 000007
【図６】
2005167763.tif 000008